(57)【要約】【課題】再剥離再貼付可能な粘着剤を利用して２層に積層した積層カレンダーを提供する。【解決手段】少なくとも一部が再剥離再貼付可能な粘着剤で貼り合わされた２層構造のカレンダーであって、１層目のシートには、所定の期間を１単位とした単位カレンダーが複数単位配置され、単位カレンダーの周縁には、単位カレンダー毎に剥ぎ取るための切込みが形成された積層カレンダーを提供する。【選択図】  図１
2006110886.tif 000002
【特許請求の範囲】
【請求項１】
少なくとも一部が再剥離再貼付可能な粘着剤で貼り合わされた２層構造のカレンダーであって、
１層目のシートには、所定の期間を１単位とした単位カレンダーが複数単位配置され、単位カレンダーの周縁には、単位カレンダー毎に剥ぎ取るための切込みが形成されたことを特徴とする積層カレンダー。
【請求項２】
請求項１に記載の積層カレンダーにおいて、
２層目のシートには、１層目のシートと同一の図柄が印刷されたことを特徴とする積層カレンダー。
【請求項３】
請求項１に記載の積層カレンダーにおいて、
２層目のシートには、一部、１層目のシートと異なる単位カレンダーが印刷されたことを特徴とする積層カレンダー。
【請求項４】
請求項１に記載の積層カレンダーにおいて、
２層目のシートには、ポスターが印刷されたことを特徴とする積層カレンダー。
【請求項５】
請求項１〜４何れかに記載の積層カレンダーにおいて、
１層目のシートに形成された単位カレンダーの裏側には、再剥離再貼付可能な粘着剤が部分的に形成されたことを特徴とする積層カレンダー。
【請求項６】
請求項１〜４何れかに記載の積層カレンダーにおいて、
積層カレンダーの中央部にはミシン目状のカット部が水平に形成されたことを特徴とする積層カレンダー。
【発明の詳細な説明】
【技術分野】
【０００１】
本発明は、積層カレンダーに関し、詳しくは、再剥離再貼付可能な粘着剤で積層された２層構造のカレンダーに関する。
【背景技術】
【０００２】
近年、さまざまな工夫が施されたカレンダーが市場に提供されている。特に、小型で卓上に置くカレンダーに工夫されたものが多い（例えば、特許文献１参照）。
この特許文献１で開示されている技術は、それぞれ１ヶ月分または複数ヶ月分の日付表示が設けられている複数枚のカレンダー用紙を一端で綴じ合わせたカレンダーであって、前記カレンダー用紙における綴じ部とは反対側の辺それぞれに沿って複数のメモ用紙を、切取り部を介して分離可能に連接し、重ね合わせ方向に対向するメモ用紙の一方の対抗面に再剥離再貼付可能な粘着剤を配して、重ね合わせ方向に対向するメモ用紙を剥離可能に貼り合わせたメモ用紙付きカレンダーに関するものである。
【０００３】
【特許文献１】特開２００２−４６３６８号公報
【発明の開示】
【発明が解決しようとする課題】
【０００４】
本発明では、再剥離再貼付可能な粘着剤を利用して２層に積層した積層カレンダーを提供する。
【課題を解決するための手段】
【０００５】
前記課題の目的を達成するために、本発明の積層カレンダーの請求項１に記載の発明は、少なくとも一部が再剥離再貼付可能な粘着剤で貼り合わされた２層構造のカレンダーであって、１層目のシートには、所定の期間を１単位とした単位カレンダーが複数単位配置され、単位カレンダーの周縁には、単位カレンダー毎に剥ぎ取るための切込みが形成されたことを特徴とするものである。
【０００６】
また、請求項２に記載の発明は、請求項１に記載の発明において、２層目のシートには、１層目のシートと同一の図柄が印刷されたことを特徴とするものである。
【０００７】
また、請求項３に記載の発明は、請求項１に記載の発明において、２層目のシートには、一部、１層目のシートと異なる単位カレンダーが印刷されたことを特徴とするものである。
【０００８】
また、請求項４に記載の発明は、請求項１に記載の発明において、２層目のシートには、ポスターが印刷されたことを特徴とする積層カレンダー。
【０００９】
また、請求項５に記載の発明は、請求項１〜４何れかに記載の発明において、１層目のシートに形成された単位カレンダーの裏側には、再剥離再貼付可能な粘着剤が部分的に形成されたことを特徴とするものである。
【００１０】
また、請求項６に記載の発明は、請求項１〜４何れかに記載の発明において、積層カレンダーの中央部にはミシン目状のカット部が水平に形成されたことを特徴とするものである。
【発明の効果】
【００１１】
請求項１に記載のように、少なくとも一部が再剥離再貼付可能な粘着剤で貼り合わされた２層構造のカレンダーであって、１層目のシートには、所定の期間を１単位とした単位カレンダーが複数単位配置され、単位カレンダーの周縁には、単位カレンダー毎に剥ぎ取るための切込みが形成されたことによって、１層目のシートの単位カレンダーを部分的に剥ぎ取って使用することができ、また、２層目のシートに印刷する内容を変化させることによって以下に記載するさまざまな用途のカレンダーとして利用することができる。
１）請求項２に記載のように、請求項１に記載の発明において、２層目のシートには、１層目のシートと同一の図柄が印刷されたことによって、前述のように、１層目のシートに印刷されたカレンダーを剥ぎ取って他の媒体に貼付して使用することができ、１層目のシートのカレンダーが剥ぎ取られた積層カレンダーは、２層目のシートに印刷された同一の図柄によって、１層目のシートのカレンダーが剥ぎ取られる前の状態で利用することができる。
２）請求項３に記載のように、請求項１に記載の発明において、２層目のシートには、一部、１層目のシートと異なる単位カレンダーが印刷されたことによって、例えば、単位期間が１ヶ月のカレンダーであれば、次の月のカレンダーを表示し、１層目のシートに印刷するカレンダーを隔月カレンダーとすることができ、省スペース化を図ることができる。また、例えば、単位期間が１ヶ月のカレンダーで、２層目のシートに印刷されたカレンダーを次の年の同じ月のカレンダーにすれば、１層目のシーとに形成されたカレンダーを一時的に剥して次の年の同じ月のカレンダーを参照することができる。
３）請求項４に記載のように、請求項１に記載の発明において、２層目のシートには、ポスターが印刷されたことによって、一定期間が終わった後、２層目のシートだけにしてポスターとして利用することができる。
４）請求項５に記載のように、請求項１〜４何れかに記載の発明において、１層目のシートに形成された単位カレンダーの裏側には、再剥離再貼付可能な粘着剤が部分的に形成されたことによって、単位カレンダーを剥す際に粘着剤が塗布されていない部分から引き剥がすことができ、引き剥がしやすい。
５）請求項６に記載のように、請求項１〜４何れかに記載の発明において、積層カレンダーの中央部にはミシン目状のカット部が水平に形成されたことによって、この部分で切り離して利用可能となり、掲示する場所が狭くても掲示することができる。
また、小型のフォーム製造装置を使用して本発明の積層カレンダーを作製することができる。
【発明を実施するための最良の形態】
【００１２】
以下、図面を参照して本発明の積層カレンダーについて説明する。
図１は、本発明の積層カレンダーの一例について説明するための図，図２は、図１のＡ−Ａ矢視断面図，図３は、実施例２について説明するための図，図４は、実施例３について説明するための図，図５は、実施例４について説明するための図，図６は，本発明の積層カレンダーの製造方法の一例について説明するための図，である。
【００１３】
（実施例１）
図１を参照して、本発明の積層カレンダーの一例について説明する。
本実施の形態では、その年のカレンダーが月単位で印刷されている１層目のシートと、１層目のシートと同一の図柄が印刷されている２層目のシート（以下カレンダー台紙という。）とが再剥離再貼付可能な粘着剤を介して積層されている。
１層目のシートの月単位のカレンダーの周縁には切込みが形成されており、切込みに沿って月単位のカレンダー、例えば、２００５年１月のカレンダー１１を剥すと、剥された２００５年１月のカレンダー１１の開口部に、カレンダー台紙に印刷された２００５年１月のカレンダー、すなわち同一のカレンダーが表出するようになっている。
１層目のシートと、カレンダー台紙を接着している再剥離再貼付可能な粘着剤は、剥された１層目のシートの裏側に形成された状態で剥ぎ取られる。
【００１４】
積層カレンダー１の上半分には２００５年の１月から６月までの半年分のカレンダーが、下半分には７月から１２月までの半年分のカレンダーがデザインされている。
積層カレンダー１の中央部には横方向にミシン状カット部１３０が形成され、このカット部で切り離してその年の前半、後半を別々に掲示したり、貼付できるようになっている。製造方法によっては、ミシン状カット部１３０を設けず、１年単位のカレンダーにすることもできる。
その時は、中央に印刷されている「２００５／７−１２ＣＡＬＥＮＤＡＲ」は省略され、上部に印刷されている「２００５／１−６ＣＡＬＥＮＤＡＲ」が、「２００５  ＣＡＬＥＮＤＡＲ」に変更される。
【００１５】
半年単位で構成された積層カレンダー１のカレンダー台紙側上部（「２００５／１−６ＣＡＬＥＮＤＡＲ」と印刷された表示の裏側部分の下部）に切込み２０１が形成されている。
切込み２０１に沿って帯状にカレンダー台紙の１部を剥ぎ取ると１層目のシートの裏側の粘着剤層が露出し、積層カレンダー１をボード等に貼付、固定することができる。
半年毎に分けて貼付する場合は、ミシン状カット部１３０の下部に形成された切込み２０２に沿って帯状にカレンダー台紙の１部を剥ぎ取ると１層目のシートの裏側に粘着剤層が露出し、前述同様貼付、固定することができる。
【００１６】
図２のａ図，ｂ図を参照して、図１のＡ−Ａ矢視断面の一例について説明する。
ａ図において、積層カレンダー１は、その年のカレンダーが印刷されている１層目のシート１０と、同じ年のカレンダーが印刷されているカレンダー台紙２０とが再剥離再貼付可能な粘着剤２を介して積層されている。
再剥離再貼付可能な粘着剤２とカレンダー台紙の間には、剥離剤３がカレンダー台紙２０の全面に形成されている。
剥離剤層は、再剥離再貼付可能な粘着剤２の粘着力を低くすることによって必ずしも設ける必要はない。
【００１７】
１層目のシート１０に印刷されている月単位のカレンダー、例えば、カレンダー１３，１６の裏側のカレンダー台紙部２２には、同じ年の、同じ月のカレンダーが印刷されている。
カレンダー１３、の周縁には切込み１０１が形成されている。
１層目のシートとカレンダー台紙を接着している再剥離再貼付可能な粘着剤２は、１層目のシート１０の裏側に形成された状態で剥ぎ取られる。
積層カレンダー１の、カレンダー台紙２０には切込み２０１が形成され、カレンダー台紙部２１が帯状に剥離可能になっており、剥離した後に露出する粘着剤面で、カレンダーをボードなどに貼付し、固定できるようになっている。
【００１８】
ｂ図に示すように、再剥離再貼付可能な粘着剤２は、カレンダー１３に対して部分的に塗布することもできる。
再剥離再貼付可能な粘着剤２を部分的に塗布する目的は、カレンダー１３を再剥離再貼付可能な粘着剤２が塗布されていない部分でカレンダー台紙の単位カレンダー形成部位２２から剥し易くするためである。
【００１９】
（実施例２）
図３を参照して実施例２について説明する。
図３に示す例は、１層目のシートに印刷されている単位カレンダーとカレンダー台紙面に印刷されている単位カレンダーが異なる例のひとつである。
１層目のシートにはその年の奇数月のカレンダーが印刷されており、カレンダー台紙にはその年の偶数月のカレンダーが１層目のシートのカレンダーと同じ配列で印刷されている。
１層目のシートの２００５年１月のカレンダー１１の裏側，カレンダー台紙には、２００５年２月のカレンダー２１１が印刷されており、１層目のシートの１月のカレンダー１１を引き剥がすと、カレンダー台紙に２月のカレンダー２１１が表出するようになっている。この実施例を実行した場合、奇数月が終わると偶数月が順次表出して、半年のカレンダーのスペースで１年分のカレンダー表示することができる。
【００２０】
（実施例３）
図４を参照して、実施例３について説明する。
図４に示す例は、１層目のシートに印刷されている単位カレンダーとカレンダー台紙面に印刷されている単位カレンダーが異なる第２の例である。
１層目のシートにはその年の月単位のカレンダーが印刷されており、カレンダー台紙には翌年の同じ月のカレンダーが同じ配列で印刷されている。
１層目のシートの２００５年１月のカレンダー１１の裏側，カレンダー台紙には２００６年１月のカレンダー２１１が印刷されており、１層目のシートの２００５年１月のカレンダー１１を引き剥がすと、カレンダー台紙に２００６年１月のカレンダー２１１が表出するようになっている。
この実施例を実行した場合、その年が終わると元の位置に戻って次の年のカレンダーが始まる。
図４では、２００５年の前半、半年分のカレンダーしか表示していないが、後半のカレンダーと繋がっていて、１年分のカレンダーとなっていてもよい。
【００２１】
（実施例４）
図５を参照して実施例４について説明する。
図５に示す例は、１層目のシートとカレンダー台紙面に印刷されている内容が異なる例である。
１層目のシートにはその年のカレンダーが月単位で印刷されており、カレンダー台紙には例えばカレンダーを提供しているワイン製造会社のポスターが印刷されている。
この実施例を実行した場合、その年が終わっても背景のポスターが気に入った場合、年が終わってもカレンダー台紙をポスターとして貼って楽しむことができる。
【００２２】
図６，図２を参照して、本発明の積層カレンダーの作製方法の一例について説明する。
連続フォーム印刷機を使用し、１層目のシートとカレンダー台紙の図柄を印刷し、丁合装置を使用して粘着剤を塗布，乾燥，貼り合わせ，切込み（ハーフカット）処理，ミシン目状カット部の形成を行う。
まず、図２で説明した、一層目のシート１０への２００５年のカレンダー図柄をロール紙で印刷し、ロール状に巻き取る。
印刷は、例えば、ＵＶインキ（紫外線硬化型インキ）を使用し、オフセット方式で印刷する。
同様、カレンダー台紙２０にカレンダー図柄をロール紙で印刷し、ロールで巻き取る。印刷は、同様にＵＶインキを使用し、オフセット方式で印刷する。
カレンダー台紙の積層面には、再剥離可能な粘着剤２に対する剥離効果を付与するために全面に透明のＵＶインキを剥離剤３として印刷する。
印刷工程の最後に印刷機の１ユニットを使用して、紙の両サイドに丁合装置での紙送りのためのスプロケットホール５を形成する。
【００２３】
丁合装置に前記、印刷済みの１層目のロール紙と、カレンダー台紙のロール紙をセットし、１層目の紙の裏面に再剥離再貼付可能な粘着剤を全面、または、パターン状に塗布し、乾燥してカレンダー台紙と位置合わせを行って貼り合せる。
貼り合わされた状態で、カレンダー台紙側の切込み２０１と、１層目のシートの切込み１０１をハーフカット状に施し、最後にミシン目状カット部１３０を形成し、排紙部でジグザグ状に折り畳む。
【００２４】
排紙部では、図６に示すミシン目状カット部１３０で、Ｙ／２の長さで折り畳む。
スプロケットホール部５は、丁合装置の排紙部直前で積層カレンダー本体から切り離される。
Ｙ／２の長さで折り畳まれた積層カレンダー１は、断裁位置４１，４２で一方の端が切り落とされ、Ｚ／２のサイズになる。
折り畳まれた積層カレンダーを伸ばして、長さＺのカレンダーとして使用する。
【００２５】
（材料）
図２を参照して、使用する材料の一例について説明する。
１層目のシートとして上質紙の４０〜８２ｇ／ｍ2を、カレンダー台紙として上質紙の６４〜１０５ｇ／ｍ2を使用する。
印刷に使用するインキは、市販されている前述のＵＶ乾燥型のオフセットインキを使用する。
また、接着剤２は、再剥離再貼付可能な粘着剤で、２ＥＨＡ（２エチルヘキシルアクリレート）等のガラス転移温度が低いアクリル樹脂をエマルジョン化したものを使用する。
剥離剤３は、再剥離再貼付可能な粘着剤に対しては、市販されているＵＶ乾燥型のオフセットメジウムをそのまま、または、シリコンなどの剥離材料を混合して使用する。
使用される材料は、本発明の積層カレンダーに適したものであれば上述の材料に拘るものではない。
【産業上の利用可能性】
【００２６】
本発明の積層カレンダーは、１層目のシートに月単位，週単位，半年単位のカレンダーを印刷し、また、カレンダー台紙にポスターや、宣伝文言を印刷して広範な用途に利用できる。
【図面の簡単な説明】
【００２７】
【図１】本発明の積層カレンダーの一例について説明するための図である。
【図２】図１のＡ−Ａ矢視断面図である。
【図３】実施例２について説明するための図である。
【図４】実施例３について説明するための図である。
【図５】実施例４について説明するための図である。
【図６】本発明の積層カレンダーの製造方法の一例について説明するための図である。
【符号の説明】
【００２８】
１      積層カレンダー
２      再剥離再貼付可能な粘着剤
３      剥離剤
５      スプロケットホール
１０    １層目シート
１１，１３，１６  １層目シートに形成された単位カレンダー
２１    掲示部位
２２    ２層目シートの単位カレンダー形成部位
２０    ２層目シート，カレンダー台紙
４１，４２  切断位置
１０１  １層目シートの切込み
１３０  ミシン状カット部
２０１，２０２  ２層目シートの切込み
２１１  ２層目シートに形成された単位カレンダー対応部
【図１】
2006110886.tif 000003
【図２】
2006110886.tif 000004
【図３】
2006110886.tif 000005
【図４】
2006110886.tif 000006
【図５】
2006110886.tif 000007
【図６】
2006110886.tif 000008